(57)【要約】  【課題】記録媒体ディスクの収納ケース自体の付加価値を向上させて、ディスク購入即ケース廃棄という望ましくないパターンを回避する。  【解決手段】上蓋１１の内面に装着されるインデックスシート１８の表面を鏡面にし、このディスク収納ケースを卓上鏡として使用し得るように、下蓋１と上蓋１１とを組み直す。【選択図】        図５
2006273345.tif 000002
【特許請求の範囲】
【請求項１】
開閉可能な上蓋および下蓋を備え、該上蓋と下蓋との空間に、記録媒体ディスクが収納されてなる扁平なディスク収納ケースにおいて、
前記上蓋もしくは前記下蓋の表面を鏡面としたことを特徴とするディスク収納ケース。
【請求項２】
開閉可能な上蓋および下蓋を備え、該上蓋と下蓋との空間に、記録媒体ディスクが収納され、かつ前記上蓋もしくは前記下蓋の内面にインデックスシートが装着されてなる扁平なディスク収納ケースにおいて、
前記インデックスシートの表面に鏡面を形成したことを特徴とするディスク収納ケース。
【請求項３】
前記鏡面が形成されたインデックスシートの表面が、上蓋側もしくは下蓋側とは反対側の表面であることを特徴とする請求項２記載のディスク収納ケース。
【発明の詳細な説明】
【技術分野】
【０００１】
本発明は、ディスク収納ケースに関し、特に、ＣＤ、ＤＶＤ等の記録媒体ディスクを収納するケースに関するものである。
【背景技術】
【０００２】
従来、一般に使用されている厚さ１０ｍｍの扁平なディスク収納ケースは、内面中央部に一体に立設された円筒状のディスククランパによって記録媒体ディスク（以下「ディスク」と略称する）を着脱自在に支持する、一般に不透明なプラスチック材料からなるディスクトレイと、このディスクトレイを収容固定してケースの一方の主面を形成する透明なプラスチック材料からなる下蓋と、この下蓋に開閉可能にヒンジ結合されて他方の主面を形成する透明なプラスチック材料からなる上蓋との３部品によって構成されている。
【０００３】
また、省スペース性への配慮から、上記ディスクトレイが上記下蓋と一体に形成された２部品からなる薄型のディスク収納ケースも従来から使用されている。この２部品からなるケースであれば、厚さ５ｍｍ程度にまで薄型化することが可能である。
【０００４】
しかしながら、ディスク収納ケースが厚さ５ｍｍ程度にまで薄型化されたと言っても、ディスク自体の厚さ１．２ｍｍに比較すれば未だ十分に厚いということが言え、そのため、大量のディスクを保存する場合には、別売りのバインダ等にディスクを移して収納する場合が多い。その場合に、ディスク購入時にディスクが収納されていたケースが不要になるので、廃棄されることが多い。しかしながら、プラスチック材料をむやみに廃棄することは環境汚染の原因となり望ましくないので、ディスク収納ケースに対し、ディスク保存以外の用途を付与して、購入即廃棄という望ましくない状態を極力回避することが考えられる。
【０００５】
例えば、特許文献１に開示された「デジタルデータ記録媒体包装体」には、商品もしくはサービスに関する紙葉状広告媒体もしくはクーポン券をディスクとともにケース内に収容することが提案され、また、特許文献２に開示された「記録媒体収納ケース」には、ディスククランプ部に穴あき硬貨を保持し得る形状を有する部分を設けている。さらに、ディスク収納ケース自体の発明ではないが、特許文献３に開示された「ＣＤ収納盤」には、複数のディスク収納ケースを並べて収納し得る凹部と鏡を収納する凹部とを備えた収納フレームが提案されている。
【０００６】
しかしながら、特許文献１および２に開示されたディスク収納ケースでは、クーポン券もしくは硬貨を付加しても、ケース自体の付加価値が向上したとは言えず、クーポン券もしくは硬貨を受け取った後は、やはり即廃棄される恐れがある。また、特許文献３に開示されたものでは、ＣＤの記録内容を示すインデックスシートを外部から容易に視認できるので、ＣＤの記録内容の検索と判別がし易くなり、併せて室内備品としても利用できる利点は有するものの、鏡を備えることによって、ディスク収納ケースを収納すべきスペースがそれだけ狭められることになる。
【特許文献１】特開２００４−２１７２２５号公報
【特許文献２】特開２００４−２３８０６８号公報
【特許文献３】特開２００１−１３０６７７号公報
【発明の開示】
【発明が解決しようとする課題】
【０００７】
上述の事情に鑑み、本発明が解決しようとする課題は、ディスク収納ケース自体の付加価値を向上させることにより、ディスク購入即ケース廃棄という望ましくないパターンを極力回避することにある。
【課題を解決するための手段】
【０００８】
本発明は、開閉可能な上蓋および下蓋を備え、これら上蓋と下蓋との空間に、記録媒体ディスクが収納されてなる扁平なディスク収納ケースにおいて、上蓋もしくは下蓋の表面を鏡面としたことを特徴とするものである。
【０００９】
また、本発明は、開閉可能な上蓋および下蓋を備え、これら上蓋と下蓋との空間に、記録媒体ディスクが収納され、かつ上蓋もしくは下蓋の内面にインデックスシートが装着されてなる扁平なディスク収納ケースにおいて、上記インデックスシートの表面に鏡面を形成したことを特徴とするものである。この場合、鏡面が形成されたインデックスシートの表面は、上蓋側もしくは下蓋側とは反対側の表面であることが好ましい。
【発明の効果】
【００１０】
本発明によれば、上蓋もしくは下蓋の表面を鏡面としたことにより、ディスク収納ケースを携帯用手鏡として利用することができるので、ケースの付加価値が向上しケースの廃棄を抑制する一助となり、環境汚染の軽減となる効果がある。
【００１１】
また、ケースの表面に銀もしくはアルミニウムのような金属をコーティングして鏡面とすることにより、ケースの強度が増大するとともに、ディスクの記録面に対する遮光効果ならびにケースを構成するプラスチック材料の紫外線による劣化を軽減する効果も期待でき、ケースに対し高級感を付与する手段にもなる利点がある。
【００１２】
さらに、上蓋もしくは下蓋の内面に装着されるインデックスシートの表面を鏡面にすることにより、上蓋と下蓋とを組み直せば、このディスク収納ケースを卓上鏡として使用することも可能である。
【発明を実施するための最良の形態】
【００１３】
以下、図面を参照して本発明の実施の形態についた詳細に説明する。
【００１４】
図１は、本発明の第１の実施の形態を示す２部品で構成された薄型ディスク収納ケースにおける上蓋を開いた状態の斜視図、図２（ａ）は、ヒンジ部を示す図１のＡ−Ａ線に沿った拡大断面図、図２（ｂ）はヒンジ部の拡大平面図、図３は図１のディスク収納ケースの閉状態を下蓋が上側になった状態で示す概略的斜視図である。
【００１５】
このケース２０は、平坦な外表面２ａを有する主板部２の内面の中央部にディスククランパＣを備えてディスクトレイを兼ねる不透明なプラスチック材料からなる下蓋１と、この下蓋１に開閉可能に（回転軸線Ｌ）ヒンジ結合された透明なプラスチック材料からなる上蓋１１とからなり、下蓋１は、軸線Ｌ側の端部においてこの軸線Ｌと平行に延びる端壁３と、この端壁３に直交する両側板４，４とを備えており、上蓋１１は、平坦な外表面を有する主板部１２と、この主板部１２の軸線Ｌ側の端部においてこの軸線Ｌと平行に延びる背板１３と、この背板１３に直交する両側板１４，１４とを備えている。
【００１６】
下蓋１と上蓋１１とのヒンジ部は、下蓋１の両側板４，４の軸線Ｌ側の端部から軸線Ｌと直交する方向に突出し、かつ内面に短い軸６をそれぞれ備えたヒンジアーム５，５と、上記軸６に嵌合する軸孔１９をそれぞれ備えてヒンジアーム５，５の内側に取り付けられる上蓋１１側の取付けリブ１５，１５とによって構成されている。なお、図１および図２（ｂ）においては、軸６の存在を明らかにするために、軸６が取付けリブ１５の軸孔１９から突出するように長めに描かれているが、実際には、ヒンジアーム５を弾性的に撓ませることにより、軸６と軸孔１９との係合を外すことができるような短い軸である。
【００１７】
上蓋１１の両側板１４，１４の内側には、上蓋１１の主板部１２の内面にインデックスシート１８を装着して保持するための複数の保持突起１６が突設され、また上蓋１１の主板部１２の内面には、背板１３に近接してこの背板１３とほぼ平行に延設されたインデックスシートストッパとしての突条１７が形成されている。
【００１８】
さらに、下蓋１の軸線Ｌ側の端壁３の外面両端には、突起７が突設され、これら突起７，７は、図２（ａ），（ｂ）から明らかなように、上蓋１１がほぼ１８０度開いた位置で上蓋１１の背板１３の外面に当接して、上蓋１１が１８０度以上は開かないように規制するストッパの機能を有する。
【００１９】
下蓋１の主板部２の外表面２ａには、例えば銀もしくはアルミニウムのような金属の無電解メッキ法により表面２ａ上に金属を膜状に析出させて形成された鏡面膜が施されており、このディスク収納ケース２０を携帯用手鏡として利用することができるようになっている。さらに、上蓋１１の主板部１２の裏面に保持されるインデックスシート１８の裏面（主板部１２側とは反対側の面）にも、例えば鏡面シートをインデックスシート１８の面上にラミネートする方法によって鏡面が形成されている。
【００２０】
下蓋１の主板部２の外表面２ａに対する上記鏡面膜の形成は、無電解メッキ法に限らず、真空蒸着法、スパッター法等を用いることも可能である。この場合、０．５〜２ｇ／ｍ２の膜厚があれば、鏡として要求される反射率と耐久性とを有する鏡面膜が得られる。また、上記外表面２ａに鏡面シートをラミネートしてもよい。なお、上記鏡面膜は、下蓋１もしくはインデックスシート１８のいずれか一方に施してもよく、場合によっては、上蓋１１の主板部１２の外表面に施してもよい。
【００２１】
図４の断面図および図５の斜視図は、下蓋１と上蓋１１とのヒンジ部における係合を外し、下蓋１を裏返しにしてから、再び上蓋１１の軸孔１９に下蓋１の軸６を嵌合させた状態を示し、この状態では、図４から明らかなように、上蓋１１の主板部１２の外表面が下蓋１側の突起７，７に当接して、上蓋１１の主板部１２が下蓋１の主板部２に対して所定の傾斜角度を保つように構成されている。そして、上蓋１１の主板部１２の内面に装着されたインデックスシート１８の鏡面になっている表面が前面を向くことにより、図５に示す状態で適当な平面Ｆ上に置くと卓上鏡として使用することができる。
【００２２】
次の図６は、本発明の第２の実施の形態を示す３部品で構成されたディスク収納ケース分解斜視図、図７（ａ）は、上蓋が下蓋に対してほぼ１８０度開いた状態を示すヒンジ部の拡大側面図、図７（ｂ）は図７（ａ）のＢ−Ｂ線に沿った断面図である。また図８および図９は、下蓋２４および上蓋２５を、図４および図５に示す状態と同様の状態とすることができることの説明に供するヒンジ部の拡大側面図である。
【００２３】
このディスク収納ケース３０は、ディスククランパＣを上面の中心部に備えた不透明なプラスチック材料からなるディスクトレイ２３と、平坦な主板部２４ａを備えてディスクトレイ２３を着脱可能に収容固定した透明なプラスチック材料からなる下蓋２４と、平坦な主板部２５ａを備えかつ軸線Ｌの周りで開閉可能に下蓋２４に軸支された透明なプラスチック材料からなる上蓋２５とから構成されている。
【００２４】
上蓋２５は、その両側壁２５ｂ，２５ｂの一端に延設された、弾性を有するヒンジアーム２５ｃ，２５ｃのそれぞれの内側に短い軸２６を備えており、これら軸２６，２６が下蓋２４の側壁２４ｂ，２４ｂの端部に形成された軸孔２７，２７にそれぞれ嵌合することにより、上蓋２５が軸線Ｌの周りで開閉可能に、かつ着脱可能に下蓋２４に軸支されている。
【００２５】
下蓋２４は、その側壁２４ｂ，２４ｂに沿って延びる突縁部２４ｅ，２４ｅを備えていて、各突縁部２４ｅは、図７（ａ），（ｂ）に示すように、軸孔２７，２７の若干手前で終端して、ストッパとして機能する端縁２８を形成している。
【００２６】
したがって、上蓋２５を開くと、それがほぼ１８０度開かれた位置で、上蓋２５の各ヒンジアーム２５ｃの端縁２５ｄが下蓋２４の各突縁部２４ｅの端縁２８に当接することにより、上蓋２５がそれ以上開かないように規制される。
【００２７】
上蓋２５の裏面には上インデックスシート３２が複数の押さえ舌片（図示は省略）によって着脱可能に装着保持され、また、ディスクトレイ２３と下蓋２４との間には下インデックスシート３４が介装されている。下インデックスシート３４は、平坦な主ラベル部３４ａと、この主ラベル部３４ａの両端からほぼ直角に上方へ折り曲げられた背ラベル部３４ｃ，３４ｄを備え、これら背ラベル部３４ｃ，３４ｄは、下蓋２４の端壁２４ｃ，２４ｄの内面に添着されるようになっている。
【００２８】
したがって、上インデックスシート３２の表面の記載内容は、透明な上蓋２５の主板部２５ａを通して視認することができ、下インデックスシート３４の表面の記載内容は、透明な下蓋２４の主板部２ａおよび端壁２４ｃ，２４ｄを通じて視認することができる。
【００２９】
ここまでは、従来の３部品型ディスク収納ケースと同様の構成を有するが、本実施の形態によるディスク収納ケース３０は、上蓋２の裏面に装着保持される上インデックスシート３２の裏面（上蓋２５とは反対側の面）が鏡面を形成していること、および上蓋２５の各ヒンジアーム２５の根元部の上縁（図７（ａ）に示すように上蓋２５が約１８０度開かれた状態では下縁になる）に微小なノッチ２９が形成されていることに特徴がある。
【００３０】
図８は、上蓋２５側のヒンジアーム２５ｃ，２５ｃの弾性を利用して、上蓋２５と下蓋２４とのヒンジ部における係合を外して、下蓋２４を裏返しにしてから再び、下蓋２４の軸孔２７に上蓋１の軸２６を嵌合させた状態を示し、この状態から、上蓋２５を図８の反時計方向に回動すると、図９に示すように、上蓋２５のノッチ２９に対し下蓋２４の各突縁部２４ｅの端縁２８が係合して、上蓋２５の主板部２５ａが下蓋２４の主板部２４ａに対して所定の傾斜角度を保って固定されるように構成され、図５と同様の状態になる。
【００３１】
したがって、前述した第１の実施の形態と同様に、適当な平面Ｆ上に置いて卓上鏡として使用することができる。
【図面の簡単な説明】
【００３２】
【図１】本発明の第１の実施の形態を示すディスク収納ケースにおける上蓋を開いた状態の斜視図である。
【図２】図２（ａ）は、図１のディスク収納ケースのヒンジ部を示す図１のＡ−Ａ線に沿った拡大断面図、図２（ｂ）はヒンジ部の拡大平面図である。
【図３】図１のディスク収納ケースの閉状態を下蓋が上側に向いた態様で示す概略的斜視図である。
【図４】図１のディスク収納ケースを卓上鏡用に組直したときのヒンジ部の拡大断面図である。
【図５】図１のディスク収納ケースを卓上鏡用に組直したときの斜視図である。
【図６】本発明の第２の実施の形態を示すディスク収納ケースの分解斜視図である。
【図７】図７（ａ）は、図６のディスク収納ケースのヒンジ部を示す拡大側面図、図７（ｂ）は図７（ａ）のＢ−Ｂ線に沿った断面図である。
【図８】図６のディスク収納ケースを卓上鏡用に組直すときの途中の状態を示すヒンジ部の拡大側面図である。
【図９】図６のディスク収納ケースを卓上鏡用に組直したときのヒンジ部の拡大側面図である。
【符号の説明】
【００３３】
１，２４    下蓋
５，２５ｃ    ヒンジアーム
６，２６    軸
７    突起（ストッパ）
１１，２５    上蓋
１８，３２，３４    インデックスシート
２０，３０    ディスク収納ケース
２８    端縁（ストッパ）
２９    ノッチ
【図１】
2006273345.tif 000003
【図２】
2006273345.tif 000004
【図３】
2006273345.tif 000005
【図４】
2006273345.tif 000006
【図５】
2006273345.tif 000007
【図６】
2006273345.tif 000008
【図７】
2006273345.tif 000009
【図８】
2006273345.tif 000010
【図９】
2006273345.tif 000011